(57)【要約】      （修正有）【課題】台座を着脱自在にしている審判台において、台座が本枠体から外れる事を防止した審判台を提供する。【解決手段】審判台Ａは土台枠１と本枠体２及び台座５の主要な三つの要素から構成されていて、土台枠１には補強バー４が左右の側面及び正面と背面の適宜位置に複数架設され、本枠体２の左右側面には補強バー３が、背面には背当て兼の補強バー６が、正面には登り階段兼の補強バーが、それぞれ少なくとも二本以上適宜位置に架設されて形成され、台座５には長手方向下面の両側端に台金板を備え、該台金板の片端にはＬ字形を９０度時計と逆方向に回転した状態を呈する引掛け金具７を一体的に設けるとともに、他方の端部にはＩ字形の平板を一体的に設けて形成し、この引掛け金具と平板を前記本枠体２両側面の補強バー３に着脱自在に設ける。【選択図】図１
0003150816.tif 000002
【実用新案登録請求の範囲】
【請求項１】
審判台Ａは、土台枠１と本枠体２及び台座５の主要な三つの要素から構成されていて、土台枠１には補強バー４が左右側面及び正面と背面の適宜位置に複数架設され、本枠体２の左右側面には補強バー３が、背面には背当て兼補強バー６が、正面には登り階段兼の補強バー９が、それぞれ少なくとも二本以上適宜位置に架設されて形成され、台座５は、長手方向下面の両側端に台金板１０を備え、該台金板１０の片端にはＬ字形を９０度時計と逆方向に回転した状態の引掛け金具７を一体的に設けるとともに、他方の端部にはＩ字形の平板８を一体的に設けて形成し、この引掛け金具７と平板８を、前記本枠体２の左右側面の補強バー３に着脱自在に設けたことを特徴とする審判台。
【考案の詳細な説明】
【技術分野】
【０００１】  本考案は、比較的低い位置にネットを張設して行なわれるテニスなどの競技から、比較的高い位置にネットを張設して行なわれるバレーボールなどの競技まで使用可能な、審判員用の審判台に関するものである。
【背景技術】
【０００２】  審判員用の審判台は、大別して、比較的低い位置にネットを張設して行なわれる競技用のものと、比較的高い位置にネットを張設して行なわれる競技用とにそれぞれ専用のものが用意される他、これらの両方に使用できるように審判員の台座の高さが調節可能になっているものとがある。【０００３】  後者の審判台に係るこの種の従来品は、台座の高さを上下にスライドさせて所望位置に固定して使用する方法が採用されているのが主流となっている。したがって、台座の左右端を同時にスライドさせないと円滑に所望位置に移動させ固定することができない。そこで、台座を着脱自在にして利便性の向上を図るものが考案された。
しかしながら、台座を着脱自在にしたが故に、審判員の方向に飛んできたボールを避けようとしたときや、審判員が審判台から降りるとき等、設置された台座板が審判台の枠体から外れる事が間々発生している事例が報告されている。
【考案の開示】
【考案が解決しようとする課題】
【０００４】  そこで本考案は係る事実に鑑み従来品が有する問題点、即ち、台座を着脱自在にして、比較的低い位置にネットを張設して行なわれる競技から、比較的高い位置にネットを張設して行なわれる競技の両方に使用できるようにした審判台において、台座が審判台の枠体から外れる事態を防止した審判台を提供しようとするものである。
【課題を解決するための手段】
【０００５】  上記目的を達成するため本考案は、審判台Ａを土台枠１と本枠体２及び台座５の主要な三つの要素から構成し、土台枠１には補強バー４が左右の側面及び正面と背面の適宜位置に複数本架設され、本枠体２の左右側面には補強バー３が、背面には背当て兼補強バー６が、正面には登り階段兼の補強バー９が、それぞれ少なくとも二本以上適宜位置に架設されて形成され、台座５は、長手方向下面の両側端に台金板１０を備え、該台金板１０の片端にはＬ字形を９０度時計と逆方向に回転した状態を呈する引掛け金具７を一体的に設けるとともに、他方の端部にはＩ字形の平板８を一体的に設けて形成し、この引掛け金具７と平板８を、前記本枠体２の左右側面の補強バー３に着脱自在に設け課題を解決するための手段としている。
【考案の効果】
【０００６】  本考案は、以上のような構成で課題を解決するための手段とするものであるから、以下の効果を奏する。【０００７】（１）台座５の長手方向下面の両側端には台金板１０を備え、該台金板の片端にはＬ字形を９０度時計と逆方向に回転した状態を呈する引掛け金具７を一体的に設けるとともに、他方の端部にはＩ字形を呈する平板８を一体的に設けて形成し、この引掛け金具７と平板８を前記本枠体の左右側面に設けられた補強バー３に係止固定した形で設けたものであるから、意識して取り外さない限り、不用意に台座５が外れることは無く安心して審判台を使用できる。【０００８】（２）高い位置にネットを張設して行なわれる競技のみ、或いは比較的低い位置にネットを張設して行なわれる競技のみに使用される台座固定の審判台と違い、本考案が対象としている審判台は、それらの何れにも使用できる審判台故に、審判員が使用する審判台に台座が固定されること無く、使用の都度、台座の位置を所望する位置に設置することがしばしばであるところから、台座着脱の容易性は重要な要素である。
この点、本考案の構成は、台座の片端部にＬ字形を９０度時計と逆方向に回転した状態の引掛け金具を、一方の端部にはＩ字形の平板をそれぞれ一体的に設けたものであるのでその着脱はさしたる時間を要せずに行なえる。
【考案を実施するための最良の形態】
【０００９】  本考案の審判台Ａは、土台枠１と本枠体２と及び台座５の主要な三つの要素から構成され、この主要素の土台枠１と本枠体２は適宜な太さのパイプで枠体が作られ、溶接或いはボルトとナットなどの方法で固定されて形成されるが、他にアングル材を溶接などで一体的に接続する方法で形成される方法で作られても差し支え無い。【００１０】  土台枠１には補強バー４が左右側面及び正面と背面の適宜位置に複数本架設され、各角の主柱となる下端には、滑り止めの為のキヤップを備え、また、この土台枠は踏み台のような形状を呈して作られることが安定感を増すので望ましい。【００１１】  本枠体２には、左右側面には補強バー３が、背面には背当てを兼ねた補強バー６が、正面には、登り階段を兼ねた補強バー９が、それぞれ少なくとも二本以上適宜位置に架設されて形成される。
尚、台座が設置される本枠体の左右側に架設される補強バー３はアングル材或いは角材で作られるとより本考案の目的達成は確かなものとなる。【００１２】  台座５は厚いベニヤ板などの木工製でも鉄板でも肉厚の樹脂製でも差し支え無いが、何れのものであっても滑り止め加工が施されていることが望ましく、この台座５には、長手方向下面の両側端に台金板１０を一体的に備え、該台金板の片端にはＬ字形を９０度時計と逆方向に回転した状態を呈する引掛け金具７を溶接などの方法で強固に一体的に設けるとともに、他方の端部には、Ｉ字形を呈する平板８を溶接などの方法で強固に一体的に設けて形成し、この引掛け金具７と平板８を前記補強バー３に取り付け、台座５を着脱自在に設けたことを特徴としている。
【実施例】
【００１３】    図面に示す実施例に基づき本考案を詳細に説明すると、図１は本考案に係る審判台を背面からの斜視図で説明するもので、審判台Ａは土台枠１と本枠体２及び台座５の主要な三つの要素から構成されていて、土台枠１には補強バー４が左右側面及び正面と背面の適宜位置に複数本架設され、踏み台の形状を呈して形成されている。
本枠体２の左右側面には、後記の台座５が着脱自在に設けられる補強バー３が、背面には背当て兼の補強バー６が、正面には登り階段兼の補強バー９が、それぞれ少なくとも二本以上適宜位置に架設されて形成されている。【００１４】  図２は台座５とこの台座に設けられる部材を説明するもので、台座５の長手方向下面の両側端には台金板１０が設けられ、この台金板１０の片端には、Ｌ字形を９０度時計と逆方向に回転した状態を呈する引掛け金具７を一体的に備えられる。【００１５】  図３は前図同様に台座５とこの台座に設けられる部材を説明するもので、前図の他方端を示していて、台座５の長手方向下面の両側端に設けられた台金板１０の他端には、Ｉ字形を呈する平板８が一体的に設けられて形成される。【００１６】  図４は、台座５が図１で説明の補強バー３に着脱自在に取り付けられた状態を説明するもので、台座５の長手方向下面の両側端に設けられた台金板１０の端部に備えられた引掛け金具７と平板８が補強バー３に取り付けられて本考案の審判台は構成される。【００１７】  図５は台座を上下にスライド自在にして、比較的低い位置にネットを張設して行なわれる競技から、比較的高い位置にネットを張設して行なわれる競技まで使用可能にした多くの審判台に見られる代表的な例を示したものである。
図中、符号１１は土台枠で１２は本枠体、１３は上下動スライドバーで１４は補強バー、１５は台座で１６は背当て兼補強バーである。
【産業上の利用可能性】
【００１８】  本考案の審判台は、以上説明のような構成を有するものなので、その製造に何ら問題点が無いばかりでなく、比較的低い位置にネットを張設して行なわれる競技から、比較的高い位置にネットを張設して行なわれる競技まで使用可能であるばかりでなく、従来品の台座スライドのものと比べ、台座の所望位置への設置及び取り外しの着脱は容易で且つ、一度設置すれば、意識して取り外さなければ不用意に外れる事は無い。
従って、多種競技の審判台用への利用が薦められることから、産業上大いに期待される。
【図面の簡単な説明】
【００１９】
【図１】本考案の審判台を説明する図である。
【図２】台座と台金板の片端に設けられた引掛け金具を説明する図である。
【図３】台座と台金板の一方端部に設けられた平板を説明する図である。
【図４】本考案の審判台を説明する図で、台座設置の要部を一部断面で示した図である。
【図５】台座を上下にスライド自在な従来品の審判台を説明する図である。
【符号の説明】
【００２０】Ａ審判台      １土台枠      ２本枠体      ３，４補強バー      ５台座      ６背当て兼補強バー      ７引掛け金具      ８平板      ９階段兼補強バー      １０台金板
【図１】
0003150816.tif 000003
【図２】
0003150816.tif 000004
【図３】
0003150816.tif 000005
【図４】
0003150816.tif 000006
【図５】
0003150816.tif 000007